(57)【要約】【課題】球抜き用の切換部材が球抜き位置に不測に切り換えられて多大な球が機外に排出される不具合を防止する。【解決手段】遊技機の後側に、球タンク６１と、その球タンク６１から供給される球Ｂを所定位置まで導く払出系球経路６３、８０と、その払出系球経路６３、８０の球Ｂを球抜きする球抜き位置と、球抜きしない非球抜き位置とに配置切換可能な切換部材９２と、その切換部材９２が球抜き位置に配置されたときに球Ｂを所定位置まで導く球抜き経路９０とがそれぞれ配設された遊技機であって、遊技機の前側には切換部材９２を球抜き位置に配置切換可能な球抜き操作部１０１が設けられている。【選択図】        図１
2004298392.tif 000002
【特許請求の範囲】
【請求項１】
遊技機の後側に、球タンクと、その球タンクから供給される球を所定位置まで導く払出系球経路と、その払出系球経路の球を球抜きする球抜き位置と、球抜きしない非球抜き位置とに配置切換可能な切換部材と、その切換部材が球抜き位置に配置されたときに球を所定位置まで導く球抜き経路とがそれぞれ配設された遊技機であって、
前記遊技機の前側には前記切換部材を球抜き位置に配置切換可能な球抜き操作部が設けられていることを特徴とする遊技機。
【発明の詳細な説明】
【０００１】
【発明の属する技術分野】
この発明は、球（例えば、パチンコ球）を用いて遊技を行う遊技機に関し、例えば、第１種、第２種、第３種・・・パチンコ機（アレンジボール機、雀球機等も含む）や球を用いてスロットマシンのような遊技を行う遊技機に関する。
【０００２】
【従来の技術】
従来、球を用いて遊技を行う遊技機において、遊技機の後側には、球タンクと、その球タンクから供給される球を所定位置まで導く払出系球経路と、がそれぞれ配設されている。
このような遊技機において、払出系球経路の一部に、その払出系球経路の球を球抜きする球抜き位置と、球抜きしない非球抜き位置とに配置切換可能な切換部材が配設され、その切換部材が球抜き位置に配置されたときに球を所定位置まで導く球抜き経路が配設されている。
一方、遊技機の前側には、切換部材を球抜き位置に配置切換するための球抜きスイッチを操作するための球抜き操作部しての球抜き孔が設けられている。そして、その球抜き孔に球抜き棒等を挿入して球抜きスイッチを操作することで、切換部材を球抜き位置に配置切換し、これによって球タンクや払出系球経路の球を球抜きするように構成されたのもが知られている（例えば、特許文献１参照）。
【０００３】
【特許文献１】
特開２００２−３１５９２９号公報（第２−３頁、図６−７）
【０００４】
【発明が解決しようとする課題】
ところで、遊技機の前側に、球抜きスイッチを操作するための球抜き操作部しての球抜き孔が設けられた従来のものにおいては、遊技機の前側から球抜き孔に球抜き棒、ワイヤー等が不測に挿入され球抜きスイッチが操作されると、切換部材が球抜き位置に配置切換される。
すると、球タンクから払出系球経路に供給される球が球抜き位置に配置切り換えされた切換部材を通して球抜き経路から機外に排出される。
また、球タンク（タンクレールの部分も含む）には、同球タンク内に所定量の球を維持するために島設備の球補給路から球が補給される。
このため、遊技機の前側から球抜き孔を通して球抜きスイッチが不測に操作されると、島設備の球補給路から球タンクに補給される球も機外に排出されることとなり、多大な球が機外に排出されるという不具合が発生する場合があった。
【０００５】
この発明の目的は、前記問題点に鑑み、球抜き用の切換部材が球抜き位置に不測に切り換えられて多大な球が機外に排出される不具合を防止することができる遊技機を提供することである。
【０００６】
【課題を解決するための手段】
前記目的を達成するために、手段１の発明に係る遊技機は、請求項１に記載されたとおりの構成、すなわち、「遊技機の後側に、球タンクと、その球タンクから供給される球を所定位置まで導く払出系球経路と、その払出系球経路の球を球抜きする球抜き位置と、球抜きしない非球抜き位置とに配置切換可能な切換部材と、その切換部材が球抜き位置に配置されたときに球を所定位置まで導く球抜き経路とがそれぞれ配設された遊技機であって、
前記遊技機の前側には前記切換部材を球抜き位置に配置切換可能な球抜き操作部が設けられ、
前記球抜き操作部を介して前記切換部材が球抜き位置に配置切換され、これによって球抜きが開始された後、前記球タンク内の全ての球を球抜き可能な条件を満たしたときに、前記切換部材が自動的に非球抜き位置に切り換えられるように、前記切換部材が作動制御される構成にしてあることを特徴とする遊技機。」を要旨とする。
したがって、遊技機の保守・点検等に際し、遊技機の前側から球抜き操作部を介して切換部材を球抜き位置に配置切換することで、球タンクから払出系球経路に供給される球が球抜き位置にある切換部材によって球抜き経路に導かれて球抜きされる、すなわち機外に排出される。
その後、球タンク内の全ての球を球抜き可能な条件（例えば、球タンク内の球が満杯状態にあることを想定し、その満杯状態の球を全て球抜き可能な時間に相当する時間が経過したとき、あるいは、球タンク内の球が満杯状態にあることを想定し、その満杯状態の球を全て球抜き可能な個数に対応する所定個数の球が球抜き経路を通過しことを検出したとき、あるいは、球抜き経路を通過する球が所定時間途切れたとき等の条件）を満たしたときに切換部材が非球抜き位置に自動的に切り換えられる。
また、遊技機の前側から球抜き操作部を介して切換部材が球抜き位置に不測に切り換えられた場合、前記したように球抜き可能な条件を満たすことで、切換部材が非球抜き位置に自動的に切り換えられる。このため、島設備の球補給路から球タンクに球が補給されたとしてもその球が機外に排出されることがない。
【０００７】
手段２の発明に係る遊技機は、請求項２に記載されたとおりの構成、すなわち、「外枠体の前側に前枠体が開閉可能に装着され、その前枠体の遊技盤装着部に遊技盤が装着され、同前枠体の前側に前記遊技盤前面の遊技領域が透視可能な開口窓を有する扉体が開閉可能に装着され、前記前枠体の後側には、球タンクと、その球タンクから供給される球を所定位置まで導く払出系球経路と、その払出系球経路の球を球抜きする球抜き位置と、球抜きしない非球抜き位置とに配置切換可能な切換部材と、その切換部材が球抜き位置に配置されたときに球を所定位置まで導く球抜き経路とがそれぞれ配設された遊技機であって、
前記前枠体と前記扉体との少なくとも一方には、同扉体が開放された状態にあるときに、前記切換部材を球抜き位置に配置切換可能な作動操作手段が設けられていることを特徴とする遊技機。」を要旨とする。
したがって、前枠体と扉体との少なくとも一方に切換部材を球抜き位置に配置切換可能な作動操作手段を設けることで、扉体が開放された状態にあるときにのみ、切換部材を球抜き位置に配置切換可能に構成することができる。
言い換えると、扉体が開放されない限り、作動操作手段によって切換部材を操作不能に構成することができる。
このため、遊技機の前側から切換部材が球抜き位置に不測に切り換えられて球抜きされる不具合を解消することができる。
【０００８】
手段３の発明に係る遊技機は、請求項３に記載されたとおりの構成、すなわち、「外枠体の前側に前枠体が開閉可能に装着され、その前枠体の遊技盤装着部に遊技盤が装着され、同前枠体の前側に前記遊技盤前面の遊技領域が透視可能な開口窓を有する扉体が開閉可能に装着され、前記前枠体の後側には、球タンクと、その球タンクから供給される球を所定位置まで導く払出系球経路と、その払出系球経路の球を球抜きする球抜き位置と、球抜きしない非球抜き位置とに配置切換可能な切換部材と、その切換部材が球抜き位置に配置されたときに球を所定位置まで導く球抜き経路とがそれぞれ配設された遊技機であって、
前記外枠体と前記前枠体との少なくとも一方には、同前枠体が開放された状態にあるときに、前記切換部材を球抜き位置に配置切換可能な作動操作手段が設けられ、
前記作動操作手段の操作部が操作された後、所定時間経過することを条件として前記切換部材が球抜き位置に配置切換される構成にしてあることを特徴とする遊技機。」を要旨とする。
したがって、外枠体と前枠体との少なくとも一方に切換部材を球抜き位置に配置切換可能な作動操作手段を設けることで、前枠体が開放された状態にあるときにのみ、切換部材を球抜き位置に配置切換可能に構成することができる。
言い換えると、前枠体が開放されない限り、作動操作手段によって切換部材を操作不能に構成することができる。
このため、遊技機の前側から切換部材が球抜き位置に不測に切り換えられて球抜きされる不具合を防止することができる。
また、前枠体が開放されて作動操作手段が操作された後、所定時間、例えば、前枠体を元の状態に閉じるために必要とする時間が経過するまでは切換部材が球抜き位置に配置切換されることがない。このため、前枠体が開放された状態で球抜きされ、その球が遊技ホールの床面に散乱する不具合を防止することができる。
【０００９】
手段４の発明に係る遊技機は、手段３に記載の遊技機であって、作動操作手段の操作部が操作されかつ前枠体が閉じられることを条件として切換部材が球抜き位置に配置切換される構成にしてある。
したがって、前枠体が開放されて作動操作手段が操作されたとしても、前枠体が元の状態に閉じられるまでは切換部材が球抜き位置に配置切換されることがない。このため、前枠体が開放された状態で球抜きされ、その球が遊技ホールの床面に散乱する不具合をより一層確実に防止することができる。
【００１０】
手段５の発明に係る遊技機は、手段２〜４のいずれかに記載の遊技機であって、作動操作手段は、第１の操作部と、第２の操作部とを備え、前記第１の操作部が操作されかつ切換部材が球抜き位置に配置切換され、これによって球抜きが開始された後、球タンク内の全ての球を球抜き可能な条件を満たすことで、前記切換部材が自動的に非球抜き位置に切り換えられ、前記第２の操作部が操作されかつ切換部材が球抜き位置に配置切換され、これによって球抜きが開始された後、島設備の球補給路から前記球タンクに供給される全ての球が球抜きされることを条件として前記切換部材が自動的に非球抜き位置に切り換えられるように、前記切換部材が作動制御される構成にしてある。
したがって、作動操作手段の第１の操作部を操作することで、切換部材が球抜き位置に配置切換され、これによって球抜きが開始された後、球タンク内の全ての球を球抜き可能な条件（例えば、球タンク内の球が満杯状態にあることを想定し、その満杯状態の球を全て球抜き可能な時間に相当する時間が経過したとき、あるいは、球タンク内の球が満杯状態にあることを想定し、その満杯状態の球を全て球抜き可能な個数に対応する所定個数の球が球抜き経路を通過したことを検出したとき等の条件を満たしたとき、あるいは球抜き経路を通過する球が所定時間途切れたとき等の条件）を満たしたとき、切換部材が自動的に非球抜き位置に切り換えられる。
また、作動操作手段の第２の操作部を操作することで、切換部材が球抜き位置に配置切換され、これによって球抜きが開始された後、島設備の球補給路から球タンクに供給される全ての球が球抜きされることを条件として前記切換部材が自動的に非球抜き位置に切り換えられる。
すなわち、作動操作手段の第１の操作部を操作することで、島設備の球補給路から球タンクに球が補給されない限り、その球タンク内の球を全て球抜きすることができる。
また、作動操作手段の第２の操作部を操作することで、島設備の球補給路から球タンクに供給される全ての球を球抜きすることができる。
このため、遊技機の保守・点検や島設備の保守・点検に対応してそれぞれ球抜きすることができ、球抜き作業の合理化を図ることができる。
【００１１】
手段６の発明に係る遊技機は、手段１〜５のいずれかに記載の遊技機であって、切換部材が球抜き位置に配置切換された後、球抜き終了の条件を満たしかつ前記切換部材が非球抜き位置に配置切換されたことを条件として球抜き終了を報知する報知手段を備えている。
したがって、報知手段によって球抜き終了を報知することができるため、遊技機あるいは島設備の保守・点検の際の球抜き作業がしやすくなる。
【００１２】
【発明の実施の形態】
（実施の形態１）
この発明の実施の形態１を図１〜図８にしたがって説明する。
遊技機としてのパチンコ機を正面から表した図１、前側から視た斜視図で表した図２、後側から視た斜視図で表した図３、外枠体に対し前枠体を開いた状態を前側から視た斜視図で表した図４、前枠体に対し扉体を開いた状態を前側から視た斜視図で表した図５において、遊技ホールの島設備に固定される外枠体１０は方形枠状に形成されている。
外枠体１０の前側には、その左右片側に配設された前枠ヒンジ機構２０の上下方向のヒンジピンを中心として前枠体２１が開閉可能に装着されている。
また、図４に示すように、前枠体２１の自由端側の後面には、外枠体１０の施錠係止具１２に係脱可能に係合して前枠体２１を閉じ状態に施錠する前枠施錠フック２８を有する周知の施錠装置が配設されている。また、前枠体２１の自由端側の前面下部には前枠施錠フック２８及び後述する扉体３１の扉施錠フック３５をそれぞれ解錠するための周知のシリンダ錠２７が設けられている。
【００１３】
図６に示すように、前枠体２１の後面には、その開口部の周縁部において遊技盤装着部としての遊技盤装着枠２２が設けられている。遊技盤装着枠２２の枠内には、その後方から遊技盤４０が着脱可能に嵌込まれ、その遊技盤４０後面の周縁部が後述する機構板６０に押さえられて装着保持されるようになっている。
図５に示すように、遊技盤４０の前面の周縁部には、外側レール４１と内側レール４２とを備えた案内レール４４が装着されており、その案内レール４４の内側には遊技領域４５が区画形成されている。
また、外側レール４１と内側レール４２との間には、球発射装置のハンマーの打撃によって発射された球を遊技領域４５の上部に向けて案内する球発射通路４３が形成されている。また、遊技領域４５内には、一般入賞口、特定入賞口、ゲート口等を有する役物装置や図柄表示装置等（図示しない）が配設されている。
また、遊技盤４０の後側面にはカバー体４６が装着され、そのカバー体４６の後面には、主制御基板５１を有する主制御装置５０（主制御ボックスとも呼ばれている）が配設されている（図３及び図６参照）。
【００１４】
図５に示すように、前枠体２１の前側には、その左右片側に配設された扉ヒンジ機構３０によって扉体３１が開閉可能に装着されている。また、扉体３１の自由端側の後面には、前枠体２１の所定位置に形成された係合部２９に係合して扉体３１を閉じ状態に施錠する扉施錠フック３５を有する周知の施錠装置が配設されている。
また、扉体３１には、遊技盤４０前面の遊技領域４５が透視可能な開口窓３２が形成され、その開口窓３２にはガラス板、透明合成樹脂板等よりなる透明窓板３３が着脱可能に装着されている。
また、前枠体２１の前側には、扉体３１の下方に位置して上皿２３が設けられとともに、その上皿２３の下方に位置して下皿２４が設けられている。さらに、前枠体２１の前側の下部片側寄りには操作ハンドル２５が配設されている。
【００１５】
図３と図６に示すように、前枠体２１後側の遊技盤装着枠２２の片側には、ヒンジ機構によって機構板６０が開閉可能に装着されている。この機構板６０は、所定数の留め具５８によって閉じ状態に保持される。そして、閉じ状態に保持された機構板６０によって遊技盤装着枠２２の遊技盤４０後面の周縁部が押えられるようになっている。
また、図３に示すように、機構板６０は、遊技盤４０の後面から突出されたカバー体４６の周縁部を後方に突出させて露出させる開口部を有して枠状に形成され、その機構板６０の後面の上部には、球タンク６１と、その球タンク６１から供給される球を片側に誘導する傾斜状のタンクレール６２とがそれぞれ配設されている。
図６と図７に示すように、機構板６０後面の片側寄りには、その上部から下部に向けて払出系球経路の一部を構成する球通路６３（前後２列に形成される場合がある）、球払出装置７０及び払出通路８０がそれぞれ連通状に配設されている。
そして、球払出装置７０において払い出された賞球数に対応する数の球及び貸球数に対応する数の球がそれぞれ払出通路８０に払い出されようになっている。
【００１６】
また、この実施の形態１において、球払出装置７０は、パチンコ機の側部にカード式球貸機（ＣＲサンドと呼ばれている）が設置される形式のパチンコ機である場合を考慮して賞球に対応する球の払い出し機能と、貸球に対応する球の払い出し機能とを兼ね備えている。
また、球払出装置７０の装置本体７１には、球通路６３から供給された球を払い出すための回転体７３が払出用モータ（ステッピングモータ）を駆動源として正逆方向に回転可能に配設されている。さらに、球払出装置７０の装置本体７１には、回転体７３の一方向の回転動作によって払い出された球を払出通路８０の上部まで導く賞球用払出通路７４と、同回転体７３の反対方向の回転動作によって払い出された球を払出通路８０の上部まで導く貸球用払出通路７６とがそれぞれ設けられて１つのユニットをなしている。そして、球払出装置７０は、その装置本体７１において機構板６０の所定位置にビス等によって組み付けられるようになっている。
また、賞球用払出通路７４には賞球用検出器４４が、貸球用払出通路７６には貸球用検出器４７がそれぞれ配設されている。
【００１７】
図６と図７に示すように、機構板６０の後側に配設される単数または複数の通路構成部材（この実施の形態１においては球払出装置７０の装置本体７１）には、賞球用払出通路７４及び貸球用払出通路７６の下端部を合流させる合流路７８を上流側に有する払出通路８０が形成されている。
また、払出通路８０は、前枠体２１前面の上皿２３に通じる上皿連通口８１に連通されている。さらに、上皿連通口８１に払い出された球Ｂが満杯となった時にはその球Ｂは下皿誘導路８２を介して前枠体２１前面の下皿２４に流れるようになっている。
【００１８】
図６と図７に示すように、機構板６０の後側に配設される単数または複数の通路構成部材（この実施の形態１においては球払出装置７０の装置本体７１）には、払出通路８０の上流側の合流路７８近傍において分岐しかつ払出通路８０の球を所定位置まで導いて機外に排出するための球抜通路９０が形成されている。
また、払出通路８０の上流側の合流路７８近傍には、その合流路７８に流れる球を球抜通路９０に導いて球抜きする球抜き位置と、球抜きしない非球抜き位置とに配置切換可能な切換部材９２が配設されている。
【００１９】
この実施の形態１において、図７に示すように、切換部材９２は、先端部が尖った略三角形状に形成され、払出通路８０と球抜通路９０との分岐部に位置する通路構成部材の部分に軸９３を中心とし回動可能に装着されている。
また、切換部材９２は、ソレノイド９５を駆動源として軸９３を中心として所定の角度範囲において回動されることで、払出通路８０を閉じかつ球抜通路９０を開く球抜き位置（図７において２点鎖線位置に示す位置）と、払出通路８０を開きかつ球抜通路９０を閉じる非球抜き位置（図７において実線で示す位置）とに配置切換されるようになっている。すなわち、ソレノイド９５は、そのプランジャ９６の先端部が連結ピンによって、切換部材９２の所定位置に連結されている。さらに、ソレノイド９５は、球抜きスイッチ１００のオン・オフ動作によって励磁・非励磁の状態となり、プランジャ９６を介して切換部材９２を球抜き位置と非球抜き位置とに配置切換するようになっている。
【００２０】
この実施の形態１において、図７に示すように、球抜きスイッチ１００は通路切換部材９２の近傍に配置されている。
そして、遊技機としてのパチンコ機の前側には球抜きスイッチ１００を作動して切換部材９２を球抜き位置に配置切換可能な球抜き操作部としての球抜き孔１０１が形成されている。
すなわち、この実施の形態１において、図１と図２に示すように、扉体３１の片側寄り下部には、球抜き操作部としての球抜き孔１０１が前後方向に貫設され、前枠体２１、機構板６０及び通路構成部材の所定位置には、球抜き孔１０１から挿通された球抜き棒の先端部が球抜きスイッチ１００の作動部に達しかつその作動部を作動可能な位置まで挿通可能な挿通部（切り欠き部、溝、孔等の挿通部）が形成されている。
【００２１】
主制御装置５０、枠制御装置５５、球払出装置７０の払出用モータ７２、切換部材９２のソレノイド９５等の関係をブロック図で表した図８において、球払出装置７０の払出用モータ７２及び切換部材９２のソレノイド９５は制御装置によって作動制御される。この実施の形態１において、払出用モータ７２及びソレノイド９５は球通路構成部材の後側に配設された枠制御装置５５によって作動制御される。
また、枠制御装置５５には、パチンコ機の片側に設置される球貸装置からの貸球数に対応する信号や、球抜きスイッチ１００の信号がそれぞれ伝達されるようになっている。
すなわち、この実施の形態１においては、パチンコ機前側の球抜き操作部としての扉体３１の球抜き孔１０１に球抜き棒が挿入され、その球抜き棒の先端部によって球抜きスイッチ１００がオンされると、その信号が枠制御装置５５に伝達され、これに基づいて枠制御装置５５から出力される制御信号によってソレノイド９５が励磁され切換部材９２が非球抜き位置から球抜き位置に配置切換されるように切換部材９２が作動制御される構成にしてある。
また、球抜きスイッチ１００の信号が枠制御装置５５に伝達されると、これに基づいて枠制御装置５５から出力される制御信号によって払出用モータ７２が作動し、回転体７３が所定方向に回転制御されるようになっている。
【００２２】
また、切換部材９２が球抜き位置に配置切換され、これによって球抜きが開始された後、球タンク６１内の全ての球を球抜き可能な条件を満たしたときに、切換部材９２が自動的に非球抜き位置に切り換えられるように、切換部材９２が作動制御されるようになっている。
例えば、球タンク６１内の球が満杯状態にあることを想定し、その満杯状態の球を全て球抜き可能な時間に相当する時間が経過したときに、切換部材９２が非球抜き位置に自動的に切り換えられるように設定することができる。
また、球タンク６１内の球が満杯状態にあることを想定し、その満杯状態の球を全て球抜き可能な個数に対応する所定個数（球タンク６１から通路切換部材９２の直前、この実施の形態１では球払出装置７０の回転体７３までに至る払出系球経路内の球の総数、例えば、約１０００個前後）の球が球抜き経路９０を通過したことを検出器９８によって検出したとき、あるいは、検出器９８による球の検出が所定時間（数秒間）途切れたときに、切換部材９２が非球抜き位置に自動的に切り換えられるように設定することも可能である。
但し、球抜き開始後、島設備の球補給路路から球タンク６１に補給される球は、前記した球タンク６１内の全ての球を球抜き可能な条件には入れないものとする。
【００２３】
また、この実施の形態１においては、切換部材９２が球抜き位置に配置切換された後、球抜き終了の条件を満たしかつ切換部材９２が非球抜き位置に配置切換されたことを条件として球抜き終了を報知する報知ランプ、報知ブザー等の報知手段９９がパチンコ機の所定位置（作業者が確認し易い位置、例えば、扉体３１の上部）に配設されている（図８参照）。
【００２４】
この実施の形態１に係る遊技機としてのパチンコ機は上述したように構成される。したがって、球抜きを行わない通常時においては、切換部材９２は、払出通路８０を開きかつ球抜通路９０を閉じる非球抜き位置（図７において実線位置に示す位置）に配置される。
この状態で、遊技盤４０の各入賞口に球が流入し、その球が入賞口スイッチによって検出されると、その信号が主制御装置５０を経て枠制御装置５５に伝達される。そして、枠制御装置５５からの制御信号によって球払出装置７０の払出用モータ７２の出力軸と共に、回転体７３が一方向にかつ賞球数に対応する回転角度だけ回転する。これによって、賞球数に対応する数の賞球としての球Ｂが賞球用払出通路７４に払い出される。すると、その球Ｂは、賞球用払出通路７４、合流路７８及び払出通路８０を経て上皿連通口８１に流れる。
【００２５】
また、パチンコ機の前側、例えば、前枠体２１の上皿２３や下皿２４の近傍に配置された図示しない球貸スイッチを作動すると、その信号が球貸装置を経て枠制御装置５５に伝達される。そして、枠制御装置５５からの制御信号によって球払出装置７０の払出用モータ７２の出力軸と共に回転体７３が、前記とは反対方向にかつ貸球数に対応する回転角度だけ回転する。これによって、貸球数に対応する数の貸球としての球Ｂが貸球用払出通路７６に払い出される。すると、その球Ｂは、貸球用払出通路７６、合流路７８、及び払出通路８０を経て上皿連通口１２０に流れる。
【００２６】
パチンコ機の保守・点検等に際し球抜きを行う場合、予め、島設備の球補給路からの球の補給を停止しておく。ここで、パチンコ機前側の球抜き操作部、すなわち、扉体３１の球抜き孔１０１に球抜き棒が挿入される。すると、球抜き棒の先端部によって球抜きスイッチ１００がオンされると、その信号が枠制御装置５５に伝達される。これに基づいて枠制御装置５５から出力される制御信号によってソレノイド９５が励磁され切換部材９２が非球抜き位置から球抜き位置に配置切換される。一方、球抜きスイッチ１００の信号が枠制御装置５５に伝達されると、これに基づいて枠制御装置５５から出力される制御信号によって払出用モータ７２が作動し、回転体７３が一方向（反対方向でもよい）に回転される。
これによって、回転体７３に供給された球Ｂが賞球用払出通路７４（又は貸球用払出通路７６）に払い出された後、合流路７８及び球抜通路９０を経て機外に排出される。
【００２７】
また、この実施の形態１においては、切換部材９２が球抜き位置に配置切換され、これによって球抜きが開始された後、球タンク６１内の全ての球を球抜き可能な条件を満たしたときに、切換部材９２が自動的に非球抜き位置に切り換えられるように、切換部材９２が作動制御されるようになっている。この際、払出用モータ７２も停止されるように作動制御される。
このため、球抜きスイッチ１００がオンされると、球タンク６１内の全ての球が球抜通路９０を経て機外に排出される。
また、この実施の形態１においては、前記したように球抜き終了の条件を満たしかつ切換部材９２が非球抜き位置に配置切換されたことを条件として、枠制御装置５５から伝達される制御信号によって報知ランプ、報知ブザー等の報知手段９９が作動され球抜き終了が報知される。これによって、球抜き作業がしやすくなる。
【００２８】
また、いたずら等によって、球抜き孔１０１に球抜き棒やワイヤー等が挿入され、球抜きスイッチ１００がオンされると、前記したように、切換部材９２が非球抜き位置から球抜き位置に配置切換され、払出用モータ７２が作動して回転体７３が一方向に回転される。このため、回転体７３に供給された球Ｂが賞球用払出通路７４、合流路７８及び球抜通路９０を経て機外に排出される。
ところで、この実施の形態１においては、前記したように、切換部材９２が球抜き位置に配置切換され、これによって球抜きが開始された後、球タンク６１内の全ての球を球抜き可能な条件を満たしたときに、切換部材９２が自動的に非球抜き位置に切り換えられる。このため、島設備の球補給路から球タンク６１に球が補給されたとしてもその補給球が機外に排出されることを防止することができ、多大な球が球抜きされる不具合が解消される。
また、いたずら等によって、球抜きされたときでも、前記したように、球抜き終了の条件を満たしかつ切換部材９２が非球抜き位置に配置切換されたことを条件として、枠制御装置５５から伝達される制御信号によって報知ランプ、報知ブザー等の報知手段９９が作動され球抜き終了が報知される。このため、いたずら等によって球抜きされたことが明確となる。
【００２９】
（実施の形態２）
この発明の実施の形態２を図９と図１０にしたがって説明する。
この実施の形態２においては、遊技機としてのパチンコ機の前側から球抜きスイッチを操作不能にすることで、切換部材９２（図７参照）が球抜き位置に不測に切り換えられることを防止するように構成したものである。
すなわち、図９と図１０に示すように、この実施の形態２においては、前枠体２１と扉体３１との少なくとも一方の所定位置（図では前枠体２１の前面上部）に、同扉体３１が開放された状態にあるときにのみ、切換部材９２を球抜き位置に配置切換可能な作動操作手段１０５が設けられている。
作動操作手段１０５は、第１の操作部１１０ａを有する遊技機用球抜きスイッチ１１０と、第２の操作部１１５ａを有する島設備用球抜きスイッチ１１５とを備えている。
【００３０】
すなわち、この実施の形態２においては、図９と図１０に示すように、扉体３１が開放された状態にあるときに、第１の操作部１１０ａが操作されて遊技機用球抜きスイッチ１１０が作動されることで、その信号が枠制御装置５５に伝達され、これによってソレノイド９５を介して切換部材９２が球抜き位置に配置切換されるようになっている。
また、切換部材９２が球抜き位置に配置切換され、これによって球抜きが開始された後、球タンク６１内の全ての球が球抜き可能な条件を満たすことで、切換部材９２が自動的に非球抜き位置に切り換えられるようになっている。
例えば、この実施の形態２においては、球タンク６１内の球が満杯状態にあることを想定し、その満杯状態の球を全て球抜き可能な時間に相当する時間が経過したときに、切換部材９２が非球抜き位置に自動的に切り換えられるように設定することができる。
また、球タンク６１内の球が満杯状態にあることを想定し、その満杯状態の球を全て球抜き可能な個数に対応する所定個数（球タンク６１から通路切換部材９２の直前までに至る払出系球経路内の球の総数、例えば、約１０００個前後）の球が球抜き経路９０を通過したことを検出器９８によって検出したときに、あるいは、検出器９８による球の検出が所定時間、例えば、数秒間途切れたときに、切換部材９２が非球抜き位置に自動的に切り換えられるように設定することも可能である。
【００３１】
また、扉体３１が開放された状態にあるときに、第２の操作部１１５ａが操作され島設備用球抜きスイッチ１１５が作動されることで、その信号が枠制御装置５５に伝達され、これによってソレノイド９５を介して切換部材９２が球抜き位置に配置切換されるようになっている。
また、切換部材９２が球抜き位置に配置切換され、これによって球抜きが開始された後、島設備の球補給路から球タンク６１に供給される全ての球が球抜きされることを条件（例えば、球抜きが開始された後、球抜通路９０に配設された検出器９８によって球の検出が所定時間、例えば数秒間途切れたことを条件）として切換部材９２が自動的に非球抜き位置に切り換えられるように、切換部材９２が作動制御される構成にしてある。
また、実施の形態２においても、切換部材９２が球抜き位置に配置切換された後、球抜き終了の条件を満たしかつ切換部材９２が非球抜き位置に配置切換されたことを条件として球抜き終了を報知する報知手段９９を備えている。
この実施の形態２のその他の構成は、前記実施の形態１と略同様に構成されるため、同一構成部材、部分に対し同一符号を付記してその説明は省略する。
【００３２】
したがって、この実施の形態２においては、前記実施の形態１と異なり、パチンコ機の前側から球抜きスイッチとしての遊技機用球抜きスイッチ１１０や島設備用球抜きスイッチ１１５を操作不能に構成することができる。言い換えると、扉体３１が開放されない限り、作動操作手段１０５によって切換部材９２を操作不能に構成することができる。
このため、遊技機の前側から切換部材９２が球抜き位置に不測に切り換えられて球抜きされる不具合を防止することができる。
【００３３】
また、扉体３１が開放された状態において、作動操作手段１０５の第１の操作部１００ａを操作することで、切換部材９２が球抜き位置に配置切換され、これによって球抜きが開始された後、球タンク６１内の全て球が球抜き可能な条件を満たすことで、切換部材９２が自動的に非球抜き位置に切り換えられる。
また、作動操作手段１０５の第２の操作部１１５ａを操作することで、切換部材９２が球抜き位置に配置切換され、これによって球抜きが開始された後、島設備の球補給路から球タンク６１に供給される全ての球が球抜きされることを条件として切換部材９２が自動的に非球抜き位置に切り換えられる。
すなわち、作動操作手段１０５の第１の操作部１００ａを操作することで、島設備の球補給路から球タンク６１に球が補給されない限り、その球タンク６１内の球を全て球抜きすることができる。
また、作動操作手段１０５の第２の操作部１１５ａを操作することで、島設備の球補給路から球タンク６１に供給される全ての球を球抜きすることができる。このため、遊技機の保守・点検や島設備の保守・点検に対応してそれぞれ球抜きすることができ、球抜き作業の合理化を図ることができる。
また、この実施の形態２においても、報知手段９９によって球抜き終了を報知することができるため、遊技機あるいは島設備の保守・点検の際の球抜き作業がしやすくなる。
【００３４】
（実施の形態３）
この発明の実施の形態３を図１１〜図１３にしたがって説明する。
この実施の形態３においても、遊技機としてのパチンコ機の前側から球抜きスイッチ１００を操作不能にすることで、切換部材９２（図７参照）が球抜き位置に不測に切り換えられることを防止するように構成したものである。
すなわち、図と図に示すように、この実施の形態３においては、外枠体１０と前枠体２１との少なくとも一方の部材の所定位置（図１１では前枠体２１後側の機構板６０に装着された球払出装置７０の装置本体７１の所定位置）には、同前枠体２１が開放された状態にあるときにのみ、切換部材９２を球抜き位置に配置切換可能な作動操作手段１０５が設けられている。
【００３５】
この作動操作手段１０５は、前記実施の形態２と同様にして、第１の操作部１１０ａを有する遊技機用球抜きスイッチ１１０と、第２の操作部１１５ａを有する島設備用球抜きスイッチ１１５とを備えている。
また、この実施の形態３においては、作動操作手段１０５の第１の操作部１１０ａ又は第２の操作部１１５ａが操作されかつ前枠体２１が閉じられて前枠開閉用スイッチ１２０が作動されることを条件として切換部材９２が球抜き位置に配置切換される構成にしてある。
【００３６】
図１２に示すように、前枠開閉用スイッチ１２０は外枠体１０と前枠体２１との少なくとも一方の部材の所定位置（図１２では外枠体１０の側枠部内面）に配置され、他方の部材には、前枠体２１の閉じ動作に連動して前枠開閉用スイッチ１２０の作動部１２０ａを作動する作動体（図示しない）が設けられている。
この実施の形態３のその他の構成は、前記実施の形態２と略同様に構成されるため、同一構成部材、部分に対し同一符号を付記してその説明は省略する。
【００３７】
したがって、この実施の形態３においては、パチンコ機の前側から球抜きスイッチとしての遊技機用球抜きスイッチ１１０や島設備用球抜きスイッチ１１５を操作不能に構成することができる。言い換えると、前枠体２１が開放されない限り、作動操作手段１０５によって切換部材９２を操作不能に構成することができる。
このため、遊技機の前側から切換部材９２が球抜き位置に不測に切り換えられて球抜きされる不具合を防止することができる。
特に、この実施の形態３においては、前枠体２１が開放されて作動操作手段１０５の第１の操作部１１０ａ又は第２の操作部１１５ａが操作されたとしても、前枠体２１が元の状態に閉じられるまでは切換部材９２が球抜き位置に配置切換されることがない。このため、前枠体２１が開放された状態で球抜きされ、その球が遊技ホールの床面に散乱する不具合を防止することができる。
【００３８】
また、前記実施の形態２及び３において、球タンク６１内の球が満杯状態にあることを想定し、その満杯状態の球を全て球抜き可能な時間よりも所定時間（数秒〜１０秒前後）長い延長設定時間、あるいは全て球抜き可能な個数よりも適宜に多い超過設定個数の球が球抜き経路９０を通過するまで検出器９８によって検出するように設定し、その設定要件を満たしたときに、切換部材９２が非球抜き位置に自動的に切り換えられるように設定することも可能である。
そして、設定要件を満たしたときに、検出器９８によって球が検出されなかったときには、球抜き終了を報知手段９９のランプ、ブザーによって報知する一方、検出器９８によって球が検出されたときには、報知手段９９のランプ、ブザーを前記球抜き終了時とは異なる点滅状態や発音状態にすることで球抜き異常を報知することも可能である。
すなわち、パチンコ機の保守・点検等に際し球抜きを行う場合、予め、島設備の球補給路からの球の補給を停止しておく必要があるが、島設備の球補給路からの球の補給停止を忘れて、第１の操作部１１０ａが操作された場合、球抜き開始後、設定要件を満たしたときに、球が検出器９８によって検出されと、報知手段９９のランプ、ブザーによって異常が報知されるため、島設備の球補給路からの球の補給停止の忘れを確認することができる。
【００３９】
なお、この発明は前記した実施の形態１〜３に限定するものではない。
例えば、前記実施の形態１〜３においては、球払出装置７０の下流側に位置する払出通路８０の一部から球抜通路９０が分岐して形成された場合を例示したが、球払出装置７０の上流側に位置する払出系球経路の一部に切換部材９２と球抜通路９０とをそれぞれ配設し、球の自重によって球抜きを行う構成にしてもこの発明を実施することができる。
また、前記実施の形態２及び３においては、遊技機用球抜きスイッチ１１０と第１の操作部１１０ａ並びに島設備用球抜きスイッチ１１５と第２の操作部１１５ａとがそれぞれ一体状に組み付けられる場合を例示したが、遊技機用球抜きスイッチ１１０と第１の操作部１１０ａ並びに島設備用球抜きスイッチ１１５と第２の操作部１１５ａとをそれぞれ所定距離だけ離反した状態で配設し、リンク機構等の連動機構によって連結してもよい。
また、前記実施の形態２及び３においては、遊技機用球抜きスイッチ１１０と島設備用球抜きスイッチ１１５とが配設される場合を例示したが、島設備用球抜きスイッチ１１５は必要に応じて設けばよく、島設備用球抜きスイッチ１１５がない場合においてもこの発明を実施することができる。
また、パチンコ機（アレンジボール機、雀球機等も含む）以外の球を使用して遊技を行う遊技機、例えば、球を用いてスロットマシン遊技のような遊技を行う遊技機であってもこの発明を実施可能である。球を用いてスロットマシン遊技のような遊技を行う遊技機において、その遊技盤にはドラム、リール、回胴等と呼ばれている複数の図柄表示回転体を有する回転体ユニットが装着される。
【００４０】
【発明の効果】
以上述べたように、この発明によれば、遊技機の前側から球抜き操作部を介して切換部材が球抜き位置に不測に切り換えられた場合、その後、所定時間経過することで、切換部材を非球抜き位置に自動的に切り換えることができる。このため、島設備の球補給路から球タンクに球が補給されたとしてもその球が機外に排出されることを防止することができ、多大な球が球抜きされる不具合が解消される。
【図面の簡単な説明】
【図１】この発明の実施の形態１の遊技機としてパチンコ機を示す正面図である。
【図２】同じくパチンコ機を前側から視た斜視図で表した斜視図である。
【図３】同じくパチンコ機を後側から視た斜視図である。
【図４】同じく外枠体に対し前枠体を開いた状態を前側から視た斜視図である。
【図５】同じく前枠体に対し扉体を開いた状態を前側から視た斜視図である。
【図６】同じくパチンコ機を後側から視た背面図である。
【図７】同じく払出系球経路と切換部材と球抜通路との関係を示す説明図である。
【図８】同じく賞球、貸球及び球抜きの制御を示すブロック図である。
【図９】この発明の実施の形態２に係るパチンコ機の前枠体に対し扉体を開いた状態を前側から視た斜視図である。
【図１０】同じく賞球、貸球及び球抜きの制御を示すブロック図である。
【図１１】この発明の実施の形態３に係るパチンコ機を後側から視た斜視図である。
【図１２】同じく外枠体に対し前枠体を開いた状態を前側から視た斜視図である。
【図１３】同じく賞球、貸球及び球抜きの制御を示すブロック図である。
【符号の説明】
１０  外枠体
２１  前枠体
３１  扉体
４０  遊技盤
５０  主制御ボックス
５５  枠制御ボックス
６１  球タンク
６２  タンクレール
６３  球通路（払出系球経路）
７０  球払出装置
７４  賞球用払出通路（払出系球経路）
７６  貸球用払出通路（払出系球経路）
７９  分岐路（払出系球経路）
８０  払出通路（払出系球経路）
９０  球抜通路
９２  切換部材
９５  ソレノイド
１００  球抜きスイッチ
１０１  球抜き操作用孔（球抜き操作部）
１１０  遊技機用球抜きスイッチ
１１０ａ  第１の操作部
１１５  島設備用球抜きスイッチ
１１５ａ  第２の操作部
１２０  前枠開閉用スイッチ
１２０ａ  作動部
【図１】
2004298392.tif 000003
【図２】
2004298392.tif 000004
【図３】
2004298392.tif 000005
【図４】
2004298392.tif 000006
【図５】
2004298392.tif 000007
【図６】
2004298392.tif 000008
【図７】
2004298392.tif 000009
【図８】
2004298392.tif 000010
【図９】
2004298392.tif 000011
【図１０】
2004298392.tif 000012
【図１１】
2004298392.tif 000013
【図１２】
2004298392.tif 000014
【図１３】
2004298392.tif 000015